(57)【特許請求の範囲】
【請求項１】
略円筒形に形成され、円筒の中心である中心軸を中心に回転するドラムと、
紙葉状の媒体と共に上記ドラムの周側面に巻き付けられるテープと、
上記ドラムの周方向に沿って形成された溝部と、
上記ドラムの周方向に離散した複数の箇所において上記溝部の両側間に架けられた橋架部と、
上記溝部へ検知光を発光すると共に当該溝部における上記橋架部同士の隙間である開孔部を通過した当該検知光を受光する検知部と、
上記検知部における上記検知光の受光結果に基づき上記ドラムの周側面に上記媒体が巻き付けられているか否かを判別する制御部と
を具えることを特徴とする媒体処理装置。
【請求項２】
上記ドラムにおける上記橋架部が形成された橋架位置を検出する橋架位置検出部
をさらに有し、
上記制御部は、
上記検知光の受光結果及び上記橋架位置の検出結果に基づき、上記ドラムの周側面に上記媒体が巻き付けられているか否かを判別する
ことを特徴とする請求項１に記載の媒体処理装置。
【請求項３】
上記橋架位置検出部は、
上記ドラムの回転に同期して回転する円板と、
上記ドラムにおいて上記橋架部が形成されていない箇所と対応する上記円板上の箇所に形成され、所定の円板検出光を通過させる通過部と、
上記円板に向けて上記円板検出光を発光する円板発光部と、
上記円板から上記円板検出光を受光する円板受光部と、
を具え、
上記制御部は、
上記円板検出光の受光結果を基に、上記ドラムに上記橋架部が形成された位置を認識する
ことを特徴とする請求項２に記載の媒体処理装置。
【請求項４】
上記検知部は、
上記検知光を発光する複数の発光部と上記検知光を受光する複数の受光部とを有し、複数の上記検知光により全ての上記開孔部を並行して通過させる
ことを特徴とする請求項１に記載の媒体処理装置。
【請求項５】
上記検知部は、
上記検知光を発光する１の発光部と、上記検知光を受光する１の受光部と、上記検知光を反射する複数のミラーとを有し、上記発光部から発光された上記検知光を上記ミラーにより順次反射させながら全ての上記開孔部を通過させた後、上記受光部により受光する
ことを特徴とする請求項１に記載の媒体処理装置。
【請求項６】
上記橋架部は、
上記媒体の周方向長さをＳとし、上記ドラムの半径をＲとしたとき、上記ドラムの周方向に沿った上記橋架部の数Ｎが、次式
Ｎ≧４πＲ／Ｓ
を満たす
ことを特徴とする請求項１に記載の媒体処理装置。
【請求項７】
上記ドラムは、
上記テープを巻き付ける巻付箇所の両側に上記溝部がそれぞれ形成されると共に、上記中心軸に沿った幅方向の両端部に上記媒体を案内する案内板を具え、
上記橋架部は、
上記媒体の上記中心軸に沿った方向の長さをＢとし、上記テープの上記中心軸に沿った方向の長さをＣとしたとき、上記案内板から近い方の上記溝部における上記検知光の照射箇所までの間隔Ｗ１が、次式
Ｗ１＜Ｂ−Ｃ
を満たす
ことを特徴とする請求項１に記載の媒体処理装置。
【請求項８】
上記橋架部は、
上記テープの巻付箇所の両側にそれぞれ形成された溝部に対する上記検知光の照射箇所同士の間隔Ｗ２が、次式
Ｃ＜Ｗ２＜Ｂ
を満たす
ことを特徴とする請求項７に記載の媒体処理装置。
【発明の詳細な説明】
【技術分野】
【０００１】
本発明は、媒体処理装置に関し、例えば紙幣等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する紙幣カセットとを有するものが提案されている（例えば、特許文献１参照）。
【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、顧客により入金金額が確定されると、一時保留部に保留した紙幣の金種を鑑別部により再鑑別し、鑑別された金種に応じて各紙幣カセットへ収納する。
【０００５】
一時保留部としては、例えば円筒状のドラムの周側面に細長いテープの一端を固定し、ドラムを所定方向へ回転させることによりその周側面にテープと共に紙幣を巻き付けて保留し、またドラムをその反対方向へ回転させることにより紙幣を放出するものが提案されている（例えば、特許文献２参照）。
【０００６】
ここで一時保留部は、一回の取引処理を終える度に、保留していた紙幣を全て排出することにより、次の取引処理において保留する紙幣と他の紙幣とを混在させないことが望ましい。
【０００７】
そこで一時保留部のなかには、図１４（Ａ）に示すように、ドラム６２５の周方向に沿った溝６５４を形成すると共に、所定の検知光がこの溝６５４を通過するか否かをセンサで検知することにより、薄い紙幣が１枚も残留していないことを精度良く検知できるようになされたものも提案されている。
【先行技術文献】
【特許文献】
【０００８】
【特許文献１】特開２０１１−２９２１公報（第１図）
【特許文献２】特開２０１０−０９５３４０公報（第１図）
【発明の概要】
【発明が解決しようとする課題】
【０００９】
しかしながら、かかる構成の一時保留部では、例えば保守作業において手作業によりテープを巻き直す際等に、図１４（Ｂ）に示すように、ドラム６２５の幅方向に関するテープ６３１の巻付位置がずれてしまう場合が想定される。
【００１０】
特にこのずれ量が大きくなった場合、図１４（Ｃ）に示すように、テープ６３１が溝部６５４の内部に脱落して入り込み、テープの絡まりや破断を生じてしまうために、紙幣の保留処理を行い得なくてしまう恐れがある、という問題があった。
【００１１】
本発明は以上の点を考慮してなされたもので、紙葉状の媒体をドラムに巻き付けて保留する処理の精度を高め得る媒体処理装置を提案しようとするものである。
【課題を解決するための手段】
【００１２】
かかる課題を解決するため本発明の媒体処理装置においては、略円筒形に形成され、円筒の中心である中心軸を中心に回転するドラムと、紙葉状の媒体と共にドラムの周側面に巻き付けられるテープと、ドラムの周方向に沿って形成された溝部と、ドラムの周方向に離散した複数の箇所において溝部の両側間に架けられた橋架部と、溝部へ検知光を発光すると共に当該溝部における橋架部同士の隙間である開孔部を通過した当該検知光を受光する検知部と、検知部における検知光の受光結果に基づきドラムの周側面に媒体が巻き付けられているか否かを判別する制御部とを設けるようにした。
【００１３】
これにより、開孔部を通過した検知光を検知部において受光できたか否かを基に、ドラムの周側面に媒体が巻き付けられているか否かを制御部により判別することができると共に、テープが本来の巻付位置からずれたとしても橋架部により溝部への脱落を回避することができるので、テープの損傷を未然に防止することができる。
【発明の効果】
【００１４】
本発明によれば、開孔部を通過した検知光を検知部において受光できたか否かを基に、ドラムの周側面に媒体が巻き付けられているか否かを制御部により判別することができると共に、テープが本来の巻付位置からずれたとしても橋架部により溝部への脱落を回避することができるので、テープの損傷を未然に防止することができる。かくして本発明は、紙葉状の媒体をドラムに巻き付けて保留する処理の精度を高め得る媒体処理装置を実現できる。
【図面の簡単な説明】
【００１５】
【図１】現金自動預払機の構成を示す略線的斜視図である。
【図２】紙幣入出金機の構成を示す略線的側面図である。
【図３】一時保留部の構成（１）を示す略線図である。
【図４】一時保留部の構成（２）を示す略線図である。
【図５】ドラム及び検知部の構成を示す略線的断面図である。
【図６】周方向の長さに関する橋架部と紙幣との関係を示す略線図である。
【図７】第１の実施の形態における幅方向の長さに関する橋架部と紙幣との関係を示す略線図である。
【図８】円板部の構成を示す略線図である。
【図９】第２の実施の形態による一時保留部の構成を示す略線図である。
【図１０】第３の実施の形態による検知部の構成を示す略線図である。
【図１１】第４の実施の形態による検知部の構成を示す略線図である。
【図１２】参考例による一時保留部の構成を示す略線図である。
【図１３】他の実施の形態によるドラム及び検知部の構成を示す略線図である。
【図１４】従来の一時保留部におけるテープの溝部への脱落を示す略線図である。
【発明を実施するための形態】
【００１６】
以下、発明を実施するための形態（以下実施の形態とする）について、図面を用いて説明する。
【００１７】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００１８】
筐体２は、その前側に顧客が対峙した状態で紙幣ＢＬの投入やタッチパネルによる操作等をしやすい箇所、すなわち前面の上部から上面に渡る部分が斜めに切り落とされたような形状となっており、この部分に接客部３が設けられている。
【００１９】
接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２０】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２１】
入出金口５は、顧客が入金する紙幣ＢＬが投入されると共に、顧客へ出金する紙幣ＢＬが排出される部分である。また入出金口５は、シャッタを駆動することにより開放又は閉塞するようになされている。因みに紙幣ＢＬは、例えば長方形の紙で構成されている。
【００２２】
操作表示部６は、取引に際して操作画面を表示するＬＣＤ（Liquid Crystal Display）と、取引の種類の選択、暗証番号や取引金額等を入力するタッチパネルとが一体化されている。
【００２３】
テンキー７は、「０」〜「９」の数字等の入力を受け付ける物理キーであり、暗証番号や取引金額等の入力操作時に用いられるようになされている。
【００２４】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２５】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２６】
筐体２内には、現金自動預払機１全体を統括制御する主制御部９や、紙幣ＢＬに関する種々の処理を行う紙幣入出金機１０等が設けられている。
【００２７】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００２８】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００２９】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣ＢＬを保護する。一方筐体２は、作業者等が保守作業を行う保守作業時には、必要に応じて各扉を開放することにより、内部の各部に対する作業を容易に行わせ得るようになされている。
【００３０】
紙幣入出金機１０は、図２に側面図を示すように、紙幣ＢＬに関する種々の処理を行う複数の部分が組み合わされた構成となっている。また紙幣入出金機１０の各部分は、紙幣制御部１１により制御されるようになされている。
【００３１】
紙幣制御部１１は、主制御部９と同様、図示しないＣＰＵを中心に構成されており、図示しないＲＯＭやフラッシュメモリ等から所定のプログラムを読み出して実行することにより、紙幣ＢＬの搬送先を決定する処理等、種々の処理を行うようになされている。
【００３２】
また紙幣制御部１１は、内部にＲＡＭ及びフラッシュメモリ等でなる記憶部１１Ａ（図１）を有しており、この記憶部１１Ａに種々の情報を記憶させるようになされている。
【００３３】
紙幣制御部１１は、例えば顧客が紙幣ＢＬを入金する入金取引を行う場合、操作表示部６を介して所定の操作入力を受け付けた後、入出金口５のシャッタを開いて入出金部１２内へ紙幣ＢＬを投入させる。
【００３４】
入出金部１２は、収容器１２Ａに紙幣ＢＬが投入されると、入出金口５のシャッタを閉じて当該収容器１２Ａから紙幣ＢＬを１枚ずつ取り出し、搬送部１３へ受け渡す。搬送部１３は、長方形の紙葉状に構成された紙幣ＢＬを短辺方向に沿って進行させ、鑑別部１４へ搬送する。
【００３５】
鑑別部１４は、その内部で紙幣ＢＬを搬送しながら、光学素子や磁気検出素子等を用いて当該紙幣ＢＬの金種及び真偽、並びに損傷の程度等を鑑別し、その鑑別結果を紙幣制御部１１へ通知する。これに応じて紙幣制御部１１は、取得した鑑別結果に基づいて当該紙幣ＢＬの搬送先を決定する。
【００３６】
このとき搬送部１３は、鑑別部１４において正常紙幣と鑑別された紙幣ＢＬを一時保留部１５へ搬送する等して一時的に保留させる一方、取引すべきでないと鑑別されたリジェクト紙幣を入出金部１２へ搬送して顧客に返却する。
【００３７】
その後紙幣制御部１１は、操作表示部６を介して顧客に入金金額を確定させ、一時保留部１５に保留している紙幣ＢＬを搬送部１３により鑑別部１４へ搬送してその金種及び損傷の程度等を鑑別させ、その鑑別結果を取得する。
【００３８】
そして紙幣制御部１１は、紙幣ＢＬの損傷の程度が大きければ、これを再利用すべきでない紙幣ＢＬとして搬送部１３によりリジェクトカセット１６及び１８へ搬送して収納させ、損傷の程度が小さければ、これを再利用すべき紙幣ＢＬとして搬送部１３により搬送させ、その金種に応じた紙幣カセット１７に収納させるようになされている。
【００３９】
［１−２．一時保留部の構成］
一時保留部１５は、図３に示すように、フレーム２０に各部品が取り付けられた構成となっている。因みに図３は、一時保留部１５の左側面図を模式的に表したものであり、説明の都合上、モータやギア等といった一部の部品を省略している。
【００４０】
一時保留部１５は、制御部２１により全体を制御するようになされている。制御部２１は、主制御部９や紙幣制御部１１（図１）と同様、図示しないＣＰＵを中心に構成されており、当該紙幣制御部１１等と連携しながら、図示しないＲＯＭやフラッシュメモリ等から所定のプログラムを読み出して実行することにより、ドラムの回転やテープの走行に関する制御や紙幣の有無の判別等、種々の処理を行うようになされている。
【００４１】
また制御部２１は、内部にＲＡＭ及びフラッシュメモリ等でなる記憶部を有しており、この記憶部に種々の情報を記憶させるようになされている。
【００４２】
一時保留部１５は、フレーム２０の前上部に設けられた受渡部２２により搬送部１３（図２）との間で紙幣を受け渡し、また受渡部２２の後方に配置された受渡センサ２３により紙幣ＢＬの有無を検知して制御部２１に通知するようになされている。
【００４３】
一時保留部１５のフレーム２０内には、中央付近に略円筒状のドラム２５が設けられている。ドラム２５は、左右方向に細長い円柱状の軸２５Ｘに貫通されており、制御部２１の制御に基づき、軸２５Ｘと共に巻取方向Ｒ１又は巻戻方向Ｒ２へ回転するようになされている。
【００４４】
因みに回転軸としての軸２５Ｘは、図４に示すように、制御部２１のドラム駆動制御部２１Ａによりその回転が制御されるようになされている。
【００４５】
また、一時保留部１５（図３）のフレーム２０内における後方には、上側に外テープ３１が巻回された外リール３２が配置され、下側に内テープ３３が巻回された内リール３４が配置されている。
【００４６】
外テープ３１及び内テープ３３は、いずれも所定の樹脂材料が薄いフィルム状に形成されてなり、長手方向の長さが十分に長く、且つ短手方向の長さ（すなわちテープ幅）が紙幣ＢＬの長辺よりも十分に短くなっている。
【００４７】
内リール３４から引き出された内テープ３３は、フレーム２０内を前方へ進行し、ローラ３７により上方へ向けられた後、受渡センサ２３の後方に配置されたローラ３８により後上方へ折り返されており、さらにその先端部がドラム２５の周側面に固定されている。
【００４８】
外リール３２から引き出された外テープ３１は、フレーム２０内を前方へ進行し、受渡センサ２３の後方に配置されたローラ３５により後下方へ折り返されており、さらにその先端部が内テープ３３の先端部と重ねられてドラム２５の周側面に固定されている。
【００４９】
このため一時保留部１５は、受渡部２２から紙幣ＢＬが取り込まれた状態でドラム２５を巻取方向Ｒ１に回転させると、外リール３２及び内リール３４から外テープ３１及び内テープ３３をそれぞれ引き出しながら、外テープ３１及び内テープ３３の間に紙幣ＢＬを挟み込み、そのままドラム２５の周側面に巻き付けることができる。
【００５０】
因みに、以下では外テープ３１及び内テープ３３並びにこれらを走行させるための外リール３２、内リール３４及び各ローラ等をまとめてテープ走行系と呼ぶ。
【００５１】
［１−３．ドラムの構成］
ドラム２５は、図４に示すように、一様な円筒形ではなく、軸２５Ｘに沿って複数の部分が組み合わされたような構成となっている。
【００５２】
すなわちドラム２５は、軸２５Ｘに沿って短い円筒状の円筒部５１Ａ、５１Ｂ及び５１Ｃが互いに隙間を空けるように配置されている。
【００５３】
中央に配置された円筒部５１Ｂの周側面には、上述した外テープ３１及び内テープ３３が固定されており、ドラム２５の回転に伴って巻き付けられるようになされている。
【００５４】
円筒部５１Ａ及び５１Ｂの隙間、並びに円筒部５１Ｂ及び５１Ｃの隙間は、軸２５Ｘによって互いに連結された形となっており、それぞれの周側面から見て溝状と見なすことができるため、以下それぞれを溝部５２Ａ及び５２Ｂと呼ぶ。
【００５５】
すなわちドラム２５は、軸２５Ｘに沿った方向に関し、外テープ３１及び内テープ３３を巻き付ける巻付箇所の両側に溝部５２Ａ及び５２Ｂが設けられている。
【００５６】
溝部５２Ａには、ドラム２５の周側面近傍において円筒部５１Ａ及び５１Ｂの間を架け渡すように、板状の橋架部５３Ａが複数取り付けられている。
【００５７】
図５にＤ１−Ｄ２断面図を示すように、ドラム２５には外周方向に沿って６個の橋架部５３Ａが離散的に且つ等間隔に配置されており、互いに隣接する橋架部５３Ａ同士の間に開孔部５４Ａが形成されている。
【００５８】
開孔部５４Ａは、内部の空間で互いに連接されており、特に間に１個の開孔部５４Ａを挟んだ開孔部５４Ａとの間、いわゆる１個飛びの開孔部５４Ａとの間では、直線的に連通することにより光を直進させ得るようになされている。
【００５９】
溝部５２Ｂには、溝部５２Ａと同様、円筒部５１Ｂ及び５１Ｃの間を架け渡すように、周方向に沿って６個の橋架部５３Ｂが開孔部５４Ｂを間に挟むように配置されている。
【００６０】
このようにドラム２５は、円筒状の円筒部５１Ａ、５１Ｂ及び５１Ｃの間にそれぞれ形成された溝部５２Ａ及び５２Ｂに、複数の橋架部５３Ａ及び５３Ｂがそれぞれ架け渡されている。
【００６１】
また軸２５Ｘにおける円筒部５１Ａ及び５１Ｃの外側、すなわち円筒部５１Ａにおける溝部５２Ａの反対側及び円筒部５１Ｃにおける溝部５２Ｂの反対側には、それぞれ円筒部５１Ａ及び５１Ｃよりも大径の円板状でなり紙幣ＢＬを案内する案内板５５Ａ及び５５Ｂが取り付けられている。
【００６２】
実際上ドラム２５は、紙幣ＢＬを周側面に巻き付ける際に、案内板５５Ａ及び５５Ｂによって案内することにより、当該紙幣ＢＬを、当該案内板５５Ａ及び５５Ｂの間、すなわち円筒部５１Ａから円筒部５１Ｃまでの間に巻き付けるようになされている。
【００６３】
またドラム２５の近傍には、左右方向に関し溝部５２Ａ及び５２Ｂとそれぞれ対応する位置に、紙幣ＢＬの有無を検知する検知部２６Ａ及び２６Ｂが設けられている。
【００６４】
検知部２６Ａ及び２６Ｂは、ドラム検知光ＬＤを発光する発光部２７Ａ及び２７Ｂ並びに当該ドラム検知光ＬＤを受光する受光部２８Ａ及び２８Ｂを有している。発光部２７Ａ及び２７Ｂ並びに受光部２８Ａ及び２８Ｂは、図５に示したように、ドラム２５を挟んで互いに対向するよう配置されている。
【００６５】
発光部２７Ａ及び２７Ｂは、制御部２１の信号計測部２１Ｂ（図４）の制御に基づき、ドラム２５の溝部５２Ａ及び５２Ｂに向けてドラム検知光ＬＤをそれぞれ発光する。
【００６６】
ここで発光部２７Ａ及び２７Ｂは、図５に示したように、ドラム検知光ＬＤの光路が円筒部５１Ａ、５１Ｂ及び５１Ｃの外周よりも中心軸２５Ｘに近接した箇所、いわば溝５２Ａ及び５２Ｂの内側を通るように配置されている。
【００６７】
このためドラム検知光ＬＤは、ドラム２５の回転角度に応じて、開孔部５４Ａを通過したときには当該ドラム２５の反対側まで進行する一方、橋架部５３Ａに照射されたときにはその進行が遮られる。
【００６８】
受光部２８Ａ及び２８Ｂは、発光部２７Ａ及び２７Ｂから出射され溝部５２Ａ及び５２Ｂを通過した（すなわち開孔部５４Ａ及び５４Ｂを通過した）ドラム検知光ＬＤを受光し、それぞれの受光結果に応じた受光信号を生成して信号計測部２１Ｂ（図４）へ送出する。
【００６９】
これに応じて制御部２１は、得られた受光信号を基に、受光部２８Ａ及び２８Ｂによりドラム検知光ＬＤを受光できたか否かを認識する。
【００７０】
すなわち制御部２１は、１つの開孔部５４Ａにおいて一瞬でもドラム検知光ＬＤを受光できれば、当該開孔部５４Ａは紙幣ＢＬにより遮蔽されていないものと見なす。その一方で制御部２１は、開孔部５４Ａ及び５４Ｂの両方が遮蔽されていなくとも、いずれか一方が遮蔽されていれば、紙幣ＢＬにより遮蔽されたものと見なす。
【００７１】
このようにドラム２５は、溝部５２Ａ及び５２Ｂに橋架部５３Ａ及び５３Ｂを架け渡し、その周側面に外テープ３１及び内テープ３３と共に紙幣ＢＬを巻き付けるようになされている。
【００７２】
またドラム２５は、検知部２６Ａ及び２６Ｂにより、溝部５２Ａ及び５２Ｂへドラム検知光ＬＤを照射すると共に受光し、制御部２１においてその受光結果を基に紙幣ＢＬの有無を判別させるようになされている。
【００７３】
［１−４．橋架部の条件］
ここで、１枚の紙幣ＢＬがドラム２５の周囲に巻き付けられている場合に、この紙幣ＢＬの有無を検知するための条件について、周方向及び幅方向に分けて説明する。
【００７４】
［１−４−１．周方向の条件］
まず、図６に示すように、紙幣ＢＬの短辺方向の長さ、すなわちドラム２５の周方向に沿った長さを紙幣短辺長Ｓとする。因みに図６は、ドラム２５の周側面を平面に展開した様子を示しており、また橋架部５３Ａに斜線を付して開孔部５４Ａと区別している。
【００７５】
また、ドラム２５の周方向に沿って隣り合う橋架部５３Ａ及び開孔部５４（以下これを橋架単位Ｕと呼ぶ）の長さは、橋架部５３Ａの周方向に関する周期を表す値となり、以下これを橋架周期Ａと呼ぶ。
【００７６】
ここで、連続する橋架単位Ｕ１〜Ｕ３の中央にある橋架単位Ｕ２の開孔部５４Ａにおいて、ドラム検知光ＬＤが遮られることにより紙幣ＢＬを検知する場合を想定する。
【００７７】
紙幣ＢＬの先端ＢＬＳが橋架単位Ｕ１の範囲内における任意の位置にあるものとすると、橋架単位Ｕ２の開孔部５４Ａを遮蔽するための条件は、紙幣ＢＬの終端ＢＬＥが常に橋架単位Ｕ２の範囲内に入らないこと、すなわち橋架単位Ｕ３以降の位置にあることとなる。
【００７８】
この条件を満たす範囲で、紙幣短辺長ＬＳを最も短く必要とするのは、紙幣ＢＬの先端ＢＬＳが橋架単位Ｕ１の上端にあり、且つ終端ＢＬＥが橋架単位Ｕ３の上端にあるときとなる。
【００７９】
すなわちこの条件を満たすには、紙幣短辺長Ｓが橋架周期Ａの２倍以上であれば良い。これを橋架周期Ａについての数式として表すと、次の（１）式となる。
【００８０】
Ａ≦Ｓ／２                      ……（１）
【００８１】
次に、ドラム２５に設ける橋架単位Ｕの数（以下これを橋架数Ｎとする）と（１）式との関係について検討する。なお、上述したようにドラム２５における実際の橋架数Ｎは６であるが、ここでは一般化して橋架数Ｎを用いて検討する。
【００８２】
ドラム２５の半径をＲとすると、周方向の長さは円周率πを用いて２πＲとなる。一方、橋架周期Ａと橋架数Ｎとを掛け合わせた長さも、ドラム２５における周方向の長さを表す。従って、ドラム２５については、次の（２）式が成立する。
【００８３】
２πＲ＝Ａ・Ｎ                  ……（２）
【００８４】
ここで（１）式に（２）式を代入して橋架数Ｎについて整理すると、次の（３）式が得られる。
【００８５】
Ｎ≧４πＲ／Ｓ                  ……（３）
【００８６】
すなわちドラム２５では、周方向の長さに関し、半径Ｒ及び紙幣短辺長Ｓを用いた（３）式を満たすような橋架数Ｎとすることにより、紙幣ＢＬの有無を確実に検知することができる。
【００８７】
［１−４−２．幅方向の条件］
次に、図７に示すように、紙幣ＢＬの長辺方向の長さ、すなわちドラム２５の幅方向に沿った長さであり軸２５Ｘに沿った長さを紙幣長辺長Ｂとする。
【００８８】
因みに紙幣長辺長Ｂについては、一時保留部１５において紙幣長辺長Ｂが異なる複数種類の紙幣ＢＬを取り扱う場合、最も短い紙幣長辺長Ｂを表すものとする。
【００８９】
またドラム２５について、案内板５５Ａ及び５５Ｂの内側面からそれぞれ近い方のドラム検知光ＬＤの光路までの長さを案内間隔Ｗ１とし、ドラム検知光ＬＤの光路同士の間隔を検知間隔Ｗ２とする。
【００９０】
さらに、外テープ３１及び内テープ３３の幅をテープ幅Ｃとして、このテープ幅Ｃは上述したように紙幣長辺長Ｂよりも短いものとする。
【００９１】
ここで一時保留部１５において紙幣ＢＬが案内板５５Ａ側に偏った場合を想定すると、この紙幣ＢＬを外テープ３１及び内テープ３３によりドラム２５の周側面に巻き付け、且つドラム検知光ＬＤを遮るためには、次の（４）式を満たす必要がある。
【００９２】
Ｗ１＋Ｃ＜Ｂ                    ……（４）
【００９３】
この（４）式を案内間隔Ｗ１について整理すると、次の（５）式となる。
【００９４】
Ｗ１＜Ｂ−Ｃ                    ……（５）
【００９５】
また、２本のドラム検知光ＬＤのうち少なくとも一方により紙幣ＢＬを検知するためには、検知間隔Ｗ２を紙幣長辺長Ｂよりも短くする必要があり、且つ検知間隔Ｗ２をテープ幅Ｃよりも長くする必要がある。このような関係を数式により表すと、次の（６）式が成立する。
【００９６】
Ｃ＜Ｗ２＜Ｂ                    ……（６）
【００９７】
すなわちドラム２５では、幅方向の長さに関し、紙幣長辺長Ｂ、テープ幅Ｃ、案内間隔Ｗ１及び検知間隔Ｗ２の間で（５）式及び（６）式を満たすことにより、紙幣ＢＬの有無を確実に検知することができる。
【００９８】
［１−５．円板部の構成］
ところで一時保留部１５には、ドラム２５と軸２５Ｘを共有するように円板部６０が設けられている。
【００９９】
円板部６０は、薄板状の円板でなる円板６１を中心に構成されている。円板６１は、軸２５Ｘにおける案内板５５Ｂよりも外側（円筒部５１Ｂから見て遠方）に、その中心を軸２５Ｘの軸芯と一致させるように取り付けられている。
【０１００】
このため円板６１は、軸２５Ｘが回転されると、ドラム２５の橋架部５３Ａ及び５３Ｂや開孔部５４Ａ及び５４Ｂと同期して回転することになる。
【０１０１】
円板６１は、図７に示すように、同一円周上に６箇所のスリット６２が等間隔で穿設されることにより、６箇所の遮光部６３が形成されている。
【０１０２】
また円板部６０には、センサ部６５が設けられている。センサ部６５は、円板６１の一面側から円板検知光ＬＣを発光する円板発光部６５Ａと、当該円板６１の反対面側で円板検知光ＬＣを受光する円板受光部６５Ｂとが組み合わされている。
【０１０３】
円板発光部６５Ａから出射された円板検知光ＬＣは、スリット６２を通過したときには円板受光部６５Ｂに到達し、遮光部６３により遮られたときには当該円板受光部６５Ｂには到達しない。
【０１０４】
センサ部６５は、受光部２８Ａ及び２８Ｂと同様、円板受光部における円板検知光ＬＣの受光結果に応じた円板受光信号を生成して信号計測部２１Ｂ（図４）へ送出する。
【０１０５】
ここで円板６１におけるスリット６２の位置及び形状は、ドラム２５の開孔部５４Ａ及び５４Ｂの位置と対応するようになされている。
【０１０６】
すなわち円板部６０は、発光部２７Ａ及び２７Ｂから出射されたドラム検知光ＬＤが開孔部５４Ａ及び５４Ｂを通過するとき、センサ部６５の円板発光部６５Ａから出射された円板検知光ＬＣがスリット６２を通過するよう、いわば周期及び位相が揃えられている。
【０１０７】
ところでドラム検知光ＬＤは、上述したように、ドラム２５の回転角度や紙幣ＢＬの巻付状態により、橋架部５３Ａ及び５３Ｂ又は紙幣ＢＬのいずれによっても遮断されることになる。
【０１０８】
一方で円板検知光ＬＣは、円板部６０が案内板５５Ｂよりも外側に配置され、またセンサ部６５の円板発光部６５Ａと円板受光部６５Ｂとの間が極めて近接しているため、遮光部６３以外により遮断される可能性が極めて低い。
【０１０９】
そこで制御部２１は、ドラム検知光ＬＤ及び円板検知光ＬＣの双方を受光できなかった場合には、橋架部５３Ａ及び５３Ｂによりドラム検知光ＬＤが遮断されたと判別し、ドラム検知光ＬＤが受光できず円板検知光ＬＣを受光した場合には、紙幣ＢＬによりドラム検知光ＬＤが遮断されたと判別する。
【０１１０】
このように一時保留部１５は、ドラム検知光ＬＤの検知結果に加えて円板検知光ＬＣの受光結果を用いることにより、ドラム１５の周側面に紙幣ＢＬが巻き付けられているか否かを判断するようになされている。
【０１１１】
［１−６．動作及び効果］
以上の構成において、第１の実施の形態による一時保留部１５は、ドラム２５の溝部５２Ａ及び５２Ｂにおける周方向に離散的な複数の箇所に、軸２５Ｘに沿った橋架部５３Ａ及び５３Ｂをそれぞれ架け渡した。
【０１１２】
これにより一時保留部１５は、外テープ３１及び内テープ３３を円筒部５１Ｂの周側面に巻き付ける際に、その巻付位置が幅方向にずれたとしても、橋架部５３Ａ及び５３Ｂにより溝部５２Ａ又は５２Ｂへの脱落を回避することができる。
【０１１３】
すなわち一時保留部１５は、外テープ３１及び内テープ３３を円筒部５１Ｂと同等の周側面に沿って巻き付けることができ、溝部５２Ａ又は５２Ｂへの脱落による損傷を未然に防止することができる。
【０１１４】
また一時保留部１５では、保守作業時においてドラム２５に巻き付けられた紙幣ＢＬを抜き取るときや、ドラム２５に手作業によって外テープ３１及び内テープ３３を巻き直すときに、当該外テープ３１及び内テープ３３が弛みによって巻取位置からずれたような場合にも、溝部５２Ａ又は５２Ｂへの脱落による損傷を防止することができる。
【０１１５】
また一時保留部１５は、ドラム２５の周方向に関し橋架部５３Ａ及び５３Ｂを離散的に配置して開孔部５４Ａ及び５４Ｂを形成し、検知部２６Ａ及び２６Ｂにより溝部５２Ａ及び５２Ｂへ向けてドラム検知光ＬＤを照射して、当該開孔部５４Ａ及び５４Ｂにおいて通過させるようにした。
【０１１６】
これにより一時保留部１５は、ドラム検知光ＬＤの受光結果を基に紙幣ＢＬの有無を判別することができる。
【０１１７】
ここでドラム２５は、橋架部５３Ａ及び５３Ｂの構造上、その回転時に当該橋架部５３Ａ及び５３Ｂによってドラム検知光ＬＤを遮ってしまう。
【０１１８】
この点において一時保留部１５は、円板部６０を設け、ドラム２５と同期して回転する円板６１のスリット６２と開孔部５４Ａ及び５４Ｂとの周期及び位相を一致させ、当該スリット６２の有無をセンサ部６５において円板検知光ＬＣにより検知させるようにした。
【０１１９】
さらに一時保留部１５は、制御部２１においてドラム検知光ＬＤの受光結果と円板部６０における円板検知光ＬＣの検知結果とを組み合わせて紙幣ＢＬの有無を判別するようにした。
【０１２０】
これにより一時保留部１５は、ドラム検知光ＬＤが遮られたときの要因が橋架部５３Ａ及び５３Ｂであるか、又はそれ以外（すなわち紙幣ＢＬ）であるかを正確に判断することができるので、橋架部５３Ａ及び５３Ｂによる紙幣ＢＬの誤検知を確実に排除することができる。
【０１２１】
またドラム２５は、溝部５２をドラム検知光ＬＤを透過するような透明な部材で埋めるのではなく、橋架部５３Ａ及び５３Ｂにおける周方向の隙間に、何もない空間である開孔部５４Ａ及び５４Ｂを形成し、当該ドラム検知光ＬＤを通過させるようにした。
【０１２２】
これにより一時保留部１５は、透明な部材を用いた場合に生じ得る、ドラム検知光ＬＤの屈折や反射による検知精度の低下、或いは表面にゴミや汚れ等の異物が付着してドラム検知光ＬＤを遮ることによる紙幣ＢＬの誤検知を原理的に排除でき、紙幣ＢＬの有無を極めて高精度に判別することができる。
【０１２３】
さらに橋架部５３Ａ及び５３Ｂは、周方向における各部の長さ及び橋架数Ｎの関係については（３）式を満たし、幅方向における各部の長さに関しては（５）式及び（６）式を満たすようにした。
【０１２４】
このため一時保留部１５は、ドラム２５に対する紙幣ＢＬの巻付位置が幅方向及び周方向に関しいずれの位置に変位したとしても、当該紙幣ＢＬにより開孔部５４Ａ又は５４Ｂのうち少なくとも１箇所を確実に遮蔽させることができる。
【０１２５】
これにより一時保留部１５は、紙幣ＢＬがドラム２５の周側面におけるいずれの位置に巻き付けられていたとしても、当該ドラム２５を最大で１回転させる間に、当該紙幣ＢＬにより２本のドラム検知光ＬＤのうち少なくとも一方を確実に遮らせることができる。
【０１２６】
この結果、一時保留部１５は、僅か１枚の紙幣ＢＬがドラムに巻き付けられていたとしても、ドラム検知光ＬＤの受光結果を基に、当該紙幣ＢＬの存在を確実に検知することができる。
【０１２７】
以上の構成によれば、第１の実施の形態による一時保留部１５は、ドラム２５の溝部５２Ａ及び５２Ｂにおける周方向に離散的な複数の箇所に、軸２５Ｘに沿った橋架部５３Ａ及び５３Ｂをそれぞれ架け渡した。これにより一時保留部１５は、外テープ３１及び内テープ３３の溝部５２Ａ又は５２Ｂへの脱落を回避でき、その損傷を未然に防止することができる。また一時保留部１５は、検知部２６Ａ及び２６Ｂにより溝部５２Ａ及び５２Ｂへ向けて照射されるドラム検知光ＬＤを開孔部５４Ａ及び５４Ｂにおいて通過させることにより、従来と同様、その検知結果を基に紙幣ＢＬの有無を精度良く判別することができる。
【０１２８】
［２．第２の実施の形態］
［２−１．一時保留部の構成］
図４及び図７との対応部分に同一符号を付した図９に示すように、第２の実施の形態による一時保留部１１５は、第１の実施の形態による一時保留部１５と比較して、外テープ及び内テープをそれぞれ２本ずつ用いる点、すなわちテープ走行系を２系統有する点が大きく相違している。
【０１２９】
また一時保留部１１５は、テープ走行系を２系統としたことに伴い、ドラム２５に代わるドラム１２５を有している。
【０１３０】
一時保留部１１５は、第１の実施の形態における外テープ３１及び内テープ３３とそれぞれ同等に構成された外テープ３１Ａ及び３１Ｂ並びに内テープ３３Ａ及び３３Ｂを有している。
【０１３１】
因みに一時保留部１１５には、図示しないものの、テープ走行系を構成する外リール３２及び内リール３４等の各部品についても、それぞれ２系統ずつ設けられている。
【０１３２】
［２−２．ドラムの構成］
ドラム１２５は、第１の実施の形態におけるドラム２５を幅方向に１段階拡張したような構成となっている。
【０１３３】
すなわちドラム１２５は、円筒部５１Ａ、５１Ｂ及び５１Ｃと同様の円筒部５１Ｄが軸２５Ｘに挿通されており、また円筒部５１Ｃ及び５１Ｄの間に溝部５２Ｃが形成されている。
【０１３４】
またドラム１２５は、円筒部５１Ｂに外テープ３１Ａ及び内テープ３３Ａが巻回され、円筒部５１Ｃに外テープ３１Ｂ及び内テープ３３Ｂが巻回される。
【０１３５】
溝部５２Ｃには、溝部５２Ａ及び５２Ｂと同様、円筒部５１Ｃ及び５１Ｄの間を架け渡すように、板状の橋架部５３Ｃが離散的且つ等間隔に６枚取り付けられており、各橋架部５３Ｃの間に開孔部５４Ｃが形成されている。
【０１３６】
さらにドラム１２５の近傍には、溝部５２Ａ及び５２Ｂそれぞれ対応する検知部２６Ａ及び２６Ｂに加えて、溝部５２Ｃと対応する検知部２６Ｃが設けられている。検知部２６Ｃは、発光部２７Ａ及び２７Ｂと同様の発光部２７Ｃ並びに受光部２８Ａ及び２８Ｂと同様の受光部２８Ｃを有している。
【０１３７】
発光部２７Ｃから溝部５２Ｃへ向けて出射されるドラム検知光ＬＤは、開孔部５４Ｃを通過した場合、受光部２８Ｃにより受光される。
【０１３８】
制御部２１は、受光部２８Ａ、２８Ｂ及び２８Ｃから得られる受光信号を基に、ドラム検知光ＬＤを検知できたか否かを認識する。このとき制御部２１は、開孔部５４Ａ、５４Ｂ又は５４Ｃの全てが遮蔽されていなくとも、少なくとも１箇所が遮蔽されていれば、紙幣ＢＬにより遮蔽されたものと見なすようになされている。
【０１３９】
またドラム１２５は、第１の実施の形態によるドラム２５と同様、周側面に紙幣ＢＬが巻き付けられているか否かを検知するための周方向及び幅方向の条件を満たすようになされている。
【０１４０】
すなわちドラム１２５は、周方向に関し、橋架数Ｎ、半径Ｒ及び紙幣短辺長Ｓの間で上述した（３）式を満たすようになされている。またドラム１２５は、幅方向に関し、紙幣長辺長Ｂ、テープ幅Ｃ、案内間隔Ｗ１及び検知間隔Ｗ２の間で、上述した（５）式及び（６）式を満たすようになされている。
【０１４１】
このようにドラム１２５は、２系統のテープ走行系に対応するべく、３箇所の溝部５２Ａ、５２Ｂ及び５２Ｃにそれぞれ橋架部５３Ａ、５３Ｂ及び５３Ｃを架け渡し、検知部２６Ａ、２６Ｂ及び２６Ｃによりドラム検知光ＬＤを照射すると共に受光するようになされている。
【０１４２】
［２−２．動作及び効果］
以上の構成において、第２の実施の形態による一時保留部１１５は、ドラム１２５の溝部５２Ａ、５２Ｂ及び５２Ｃにおける周方向に離散的な複数の箇所に、軸２５Ｘに沿った橋架部５３Ａ、５３Ｂ及び５３Ｃをそれぞれ架け渡した。
【０１４３】
これにより一時保留部１１５は、外テープ３１Ａ及び内テープ３３Ａを円筒部５１Ｂの周側面に巻き付けると共に外テープ３１Ｂ及び内テープ３３Ｂを円筒部５１Ｃの周側面に巻き付ける際や保守作業の際に、その巻付位置が幅方向にずれたとしても、橋架部５３Ａ、５３Ｂ及び５３Ｃにより溝部５２Ａ、５２Ｂ又は５２Ｃへの脱落をそれぞれ回避することができる。
【０１４４】
また橋架部５３Ａ、５３Ｂ及び５３Ｃは、第１の実施の形態と同様、周方向における各部の長さと橋架数Ｎとの間では（３）式を満たし、幅方向における各部の長さに関しては（５）式及び（６）式を満たすようにした。
【０１４５】
このため一時保留部１１５は、ドラム１２５に対する紙幣ＢＬの巻付位置が幅方向及び周方向に関しいずれの位置に変位したとしても、当該紙幣ＢＬにより開孔部５４Ａ、５４Ｂ又は５４Ｃのうち少なくとも１箇所を確実に遮蔽させることができる。
【０１４６】
これにより一時保留部１１５は、紙幣ＢＬがドラム１２５の周側面におけるいずれの位置に巻き付けられていたとしても、当該ドラム１２５を最大で１回転させる間に、当該紙幣ＢＬにより３本のドラム検知光ＬＤのうち少なくとも１本を確実に遮らせることができる。
【０１４７】
この結果、一時保留部１１５は、第１の実施の形態と同様に僅か１枚の紙幣ＢＬがドラムに巻き付けられていたとしても、ドラム検知光ＬＤの受光結果を基に、当該紙幣ＢＬの存在を確実に検知することができる。
【０１４８】
また一時保留部１１５は、その他の点においても第１の実施の形態と同様の作用効果を奏し得る。
【０１４９】
以上の構成によれば、第２の実施の形態による一時保留部１１５は、ドラム１２５の溝部５２Ａ、５２Ｂ及び５２Ｃにおける周方向に離散的な複数の箇所に、軸２５Ｘに沿った橋架部５３Ａ、５３Ｂ及び５３Ｃをそれぞれ架け渡した。これにより一時保留部１１５は、外テープ３１Ａ及び３１Ｂ並びに内テープ３３Ａ及び３３Ｂの溝部５２Ａ、５２Ｂ又は５２Ｃへの脱落を回避でき、その損傷を未然に防止することができる。また一時保留部１１５は、溝部５２Ａ、５２Ｂ及び５２Ｃへ向けてそれぞれ照射されるドラム検知光ＬＤを、開孔部５４Ａ、５４Ｂ及び５４Ｃにおいて通過させることにより、従来と同様、その検知結果を基に紙幣ＢＬの有無を精度良く判別することができる。
【０１５０】
［３．第３の実施の形態］
［３−１．一時保留部の構成］
図５との対応部分に同一符号を付した図１０に示すように、第３の実施の形態による一時保留部２１５は、第１の実施の形態による一時保留部１５と比較して、発光部及び受光部が増設されて複数の光路を有している点が大きく相違している。
【０１５１】
一時保留部２１５には、左右方向に関し溝部５２Ａ及び５２Ｂとそれぞれ対応する位置に、検知部２６Ａ及び２６Ｂとそれぞれ対応する検知部２２６Ａ及び２２６Ｂ（図示せず）が設けられている。
【０１５２】
なお、検知部２２６Ｂは検知部２２６Ａと同様に構成されているため、以下では検知部２２６Ａを中心に説明する。また図１０では、６箇所の開孔部５４Ａを時計回りに順次開孔部５４Ａ１、５４Ａ２、５４Ａ３、５４Ａ４、５４Ａ５及び５４Ａ６と定義する。
【０１５３】
検知部２２６Ａは、発光部２７Ａに加えて発光部２２７Ａ、２３７Ａ及び２４７Ａが設けられると共に、受光部２８Ａに加えて受光部２２８Ａ、２３８Ａ及び２４８Ａが設けられている。
【０１５４】
発光部２７Ａ及び受光部２８Ａは、第１の実施の形態と同様、ドラム２５を挟んで互いに対向すると共に、ドラム検知光ＬＤ１が開孔部５４Ａ６及び５４Ａ４を順次通過するような位置に配置されている。
【０１５５】
発光部２２７Ａ及び受光部２２８Ａは、ドラム２５を挟んで互いに対向すると共にドラム検知光ＬＤ２が開孔部５４Ａ１及び５４Ａ３を順次通過するような位置に、すなわちドラム検知光ＬＤ２の光路がドラム検知光ＬＤ１の光路とほぼ平行となるように配置されている。
【０１５６】
発光部２３７Ａ及び受光部２３８Ａは、ドラム２５を挟んで互いに対向すると共にドラム検知光ＬＤ３が開孔部５４Ａ１及び５４Ａ５を順次通過するような位置に、すなわちドラム検知光ＬＤ３の光路がドラム検知光ＬＤ１及びＬＤ２の光路との間に約６０度の角度をなすように配置されている。
【０１５７】
発光部２４７Ａ及び受光部２４８Ａは、ドラム２５を挟んで互いに対向すると共にドラム検知光ＬＤ４が開孔部５４Ａ２及び５４Ａ４を順次通過するような位置に、すなわちドラム検知光ＬＤ４の光路がドラム検知光ＬＤ３の光路とほぼ平行であり、ドラム検知光ＬＤ１及びＬＤ２の光路との間に約６０度の角度をなすように配置されている。
【０１５８】
すなわち溝部５２Ａの開孔部５４Ａ１〜５４Ａ６は、検知部２２６Ａにより、それぞれドラム検知光ＬＤ１〜ＬＤ４の光路のうちいずれか１本又は２本が通過している。
【０１５９】
このため制御部２１は、受光部２８Ａ、２２８Ａ、２３８Ａ及び２４８Ａによりドラム検知光ＬＤ１〜ＬＤ４のうち少なくとも１つを検知できなければ、開孔部５４Ａ１〜５４Ａ６のうち少なくとも１箇所が紙幣ＢＬにより遮蔽されている、すなわち１枚以上の紙幣ＢＬがドラム２５の周側面に巻き付けられていると判別することができる。
【０１６０】
因みに検知部２２６Ａは、ドラム２２５の外周面におけるドラム検知光ＬＤ１〜ＬＤ４の通過点を、周方向にちょうど１／６周ずつ離隔させるようになされている。
【０１６１】
このように一時保留部２１５では、検知部２２６Ａにより４本のドラム検知光ＬＤ１〜ＬＤ４を同時に照射することにより、６箇所の開孔部５４Ａ１〜５４Ａ６における紙幣ＢＬによる遮蔽の有無を同時に検知するようになされている。
【０１６２】
［３−２．動作及び効果］
以上の構成において、第３の実施の形態による一時保留部２１５は、第１の実施の形態と同様、ドラム２５の溝部５２Ａ及び５２Ｂにおける周方向に離散的な複数の箇所に、軸２５Ｘに沿った橋架部５３Ａ及び５３Ｂをそれぞれ架け渡した。
【０１６３】
これにより一時保留部２１５は、第１の実施の形態と同様、外テープ３１及び内テープ３３を円筒部５１Ｂの周側面に巻き付ける際や保守作業の際にその巻付位置が幅方向にずれたとしても、橋架部５３Ａ及び５３Ｂにより溝部５２Ａ又は５２Ｂへの脱落をそれぞれ回避することができる。
【０１６４】
また一時保留部２１５は、溝部５２Ａについて、検知部２２６Ａの発光部２７Ａ、２２７Ａ、２３７Ａ及び２４７Ａからそれぞれドラム検知光ＬＤ１〜４を同時に出射し、６箇所の開孔部５４Ａ１〜５４Ａ６をそれぞれ通過させて受光部２８Ａ、２２８Ａ、２３８Ａ及び２４８Ａにより並列的に受光する。
【０１６５】
ここでドラム２５は、橋架数Ｎが６であるため、橋架部５３Ａによる遮断を考慮しても、最大で約１／６回転される間に、ドラム検知光ＬＤ１〜４を開孔部５４Ａ１〜５４Ａ６のいずれかに照射させることができる。
【０１６６】
すなわち一時保留部２１５は、ドラム２５を約１／６回転させるだけで、ドラム検知光ＬＤ１〜ＬＤ４が６箇所の開孔部５４Ａ１〜５４Ａ６のいずれかにおいて遮断されたか否か、すなわち紙幣ＢＬが巻き付けられているか否かを判別することができる。
【０１６７】
このため一時保留部２１５は、ドラム２５を最大で約１回転させなければ紙幣ＢＬの有無を判別できなかった第１の実施の形態と比較して、判別に要する時間を格段に短縮することができる。
【０１６８】
また一時保留部２１５は、その他の点においても、第１の実施の形態による一時保留部１５と同様の作用効果を奏し得る。
【０１６９】
以上の構成によれば、第３の実施の形態による一時保留部２１５は、ドラム２５の溝部５２Ａ及び５２Ｂにおける周方向に離散的な複数の箇所に、軸２５Ｘに沿った橋架部５３Ａ及び５３Ｂをそれぞれ架け渡した。これにより一時保留部１５は、外テープ３１及び内テープ３３の溝部５２Ａ又は５２Ｂへの脱落を回避でき、その損傷を未然に防止することができる。また一時保留部２１５は、溝部５２Ａへ向けて同時に照射されるドラム検知光ＬＤ１〜ＬＤ４を、開孔部５４Ａ１〜５４Ａ６において通過させることにより、その検知結果を基に極めて短い時間で紙幣ＢＬの有無を精度良く判別することができる。
【０１７０】
［４．第４の実施の形態］
［４−１．一時保留部の構成］
図５及び図１０との対応部分に同一符号を付した図１１に示すように、第４の実施の形態による一時保留部３１５は、第３の実施の形態による一時保留部２１５と比較して、発光部及び受光部の数が削減されると共にミラーが設置されている点が大きく相違している。
【０１７１】
一時保留部３１５には、左右方向に関し溝部５２Ａ及び５２Ｂとそれぞれ対応する位置に、検知部２６Ａ及び２６Ｂとそれぞれ対応する検知部３２６Ａ及び３２６Ｂ（図示せず）が設けられている。
【０１７２】
なお、検知部３２６Ｂは検知部３２６Ａと同様に構成されているため、以下では検知部３２６Ａを中心に説明する。
【０１７３】
検知部３２６Ａは、発光部２７Ａに代わる発光部３２７Ａと、受光部２８Ａと、ドラム検知光ＬＤを反射する６個のミラーＭ１、Ｍ２、Ｍ３、Ｍ４、Ｍ５及びＭ６とを有している。
【０１７４】
発光部３２７Ａは、第３の実施の形態における発光部２３７Ａの位置に配置されており、ドラム２５の溝部５２Ａへ向けてドラム検知光ＬＤを出射する。ドラム検知光ＬＤは、第３の実施の形態におけるドラム検知光ＬＤ３と同様の光路を進行して開孔部５４Ａ１及び５４Ａ５を通過し、ミラーＭ１に入射される。
【０１７５】
ミラーＭ１は、第３の実施の形態における受光部２３８Ａと同様の位置に配置されると共に、その反射面が発光部３２７Ａ及びミラーＭ２のほぼ中間を向くよう調整されている。このため発光部３２７Ａから出射されたドラム検知光ＬＤは、開孔部５４Ａ１及び５４Ａ５を通過した後、ミラーＭ１により反射されてミラーＭ２へ向けて進行する。
【０１７６】
ミラーＭ２は、第３の実施の形態における受光部２４８Ａと同様の位置に配置されると共に、その反射面がミラーＭ１及びミラーＭ３のほぼ中間を向くよう調整されている。このためミラーＭ１により反射されたドラム検知光ＬＤは、ミラーＭ２により反射されてから、第３の実施の形態におけるドラム検知光ＬＤ４と同様の光路を逆方向に進行して開孔部５４Ａ４及び５４Ａ２を順次通過した後、ミラーＭ３へ入射される。
【０１７７】
ミラーＭ３は、第３の実施の形態における発光部２４７Ａと同様の位置に配置されると共に、その反射面がミラーＭ２及びミラーＭ４のほぼ中間を向くよう調整されている。このためミラーＭ２により反射されたドラム検知光ＬＤは、開孔部５４Ａ４及び５４Ａ２を順次通過した後、ミラーＭ３により反射されてミラーＭ４へ向けて進行する。
【０１７８】
ミラーＭ４は、第３の実施の形態における受光部２２８Ａと同様の位置に配置されると共に、その反射面がミラーＭ３及びミラーＭ５のほぼ中間を向くよう調整されている。このためミラーＭ３により反射されたドラム検知光ＬＤは、ミラーＭ４により反射されてから、第３の実施の形態におけるドラム検知光ＬＤ２と同様の光路を逆方向に進行して開孔部５４Ａ３及び５４Ａ１を順次通過した後、ミラーＭ５へ入射される。
【０１７９】
ミラーＭ５は、第３の実施の形態における発光部２２７Ａと同様の位置に配置されると共に、その反射面がミラーＭ４及びミラーＭ６のほぼ中間を向くよう調整されている。このためミラーＭ４により反射されたドラム検知光ＬＤは、開孔部５４Ａ３及び５４Ａ１を順次通過した後、ミラーＭ５により反射されてミラーＭ６へ入射される。
【０１８０】
ミラーＭ６は、第３の実施の形態における受光部２７Ａと同様の位置に配置されると共に、その反射面がミラーＭ６及び受光部２８Ａのほぼ中間を向くよう調整されている。このためミラーＭ５により反射されたドラム検知光ＬＤは、ミラーＭ６により反射されてから、第３の実施の形態におけるドラム検知光ＬＤ１と同様の光路を進行して開孔部５４Ａ６及び５４Ａ４を順次通過した後、受光部２８Ａにより受光される。
【０１８１】
このように検知部３２６Ａは、発光部３２７Ａから出射されたドラム検知光ＬＤをミラーＭ１〜Ｍ６により順次反射させることにより、１本のドラム検知光ＬＤによって第３の実施の形態におけるドラム検知光ＬＤ１〜ＬＤ４と同様の光路を順次進行させた後、受光部２８Ａにより受光するようになされている。
【０１８２】
すなわちドラム検知光ＬＤは、発光部３２７Ａにおいて出射された後、ミラーＭ１〜Ｍ６によって反射されることにより、全ての開孔部５４Ａ１〜５４Ａ６を順次通過してから受光部２８Ａに照射されるようになされている。
【０１８３】
［４−２．動作及び効果］
以上の構成において、第４の実施の形態による一時保留部３１５は、第１の実施の形態と同様、ドラム２５の溝部５２Ａ及び５２Ｂにおける周方向に離散的な複数の箇所に、軸２５Ｘに沿った橋架部５３Ａ及び５３Ｂをそれぞれ架け渡した。
【０１８４】
これにより一時保留部３１５は、第１の実施の形態と同様、外テープ３１及び内テープ３３を円筒部５１Ｂの周側面に巻き付ける際や保守作業の際にその巻付位置が幅方向にずれたとしても、橋架部５３Ａ及び５３Ｂにより溝部５２Ａ又は５２Ｂへの脱落をそれぞれ回避することができる。
【０１８５】
また一時保留部３１５は、溝部５２Ａについて、検知部３２６Ａの発光部３２７Ａからドラム検知光ＬＤを出射させ、ミラーＭ１〜Ｍ６により順次反射させることにより全ての開孔部５４Ａ１〜５４Ａ６を通過させた後、受光部２８Ａにより受光する。
【０１８６】
このため一時保留部３１５は、第３の実施の形態と同様、ドラム２５を約１／６回転させるだけで、ドラム検知光ＬＤが６箇所の開孔部５４Ａ１〜５４Ａ６のいずれかにおいて遮断されたか否か、すなわち紙幣ＢＬが巻き付けられているか否かを判別することができる。
【０１８７】
特に一時保留部３１５は、発光部３２７Ａ及び受光部２８Ａを１個ずつ用いるだけで、発光部及び受光部を４個ずつ用いる第３の実施の形態と同様に、全ての開孔部５４Ａ１〜５４Ａ６が紙幣ＢＬにより閉塞されているか否かを判別することができる。
【０１８８】
このとき制御部２１では、当該受光部２８Ａにより生成される１つの受光信号のみを基に紙幣ＢＬの有無を判別すれば良いため、第３の実施の形態のように複数の受光信号に基づいた演算処理を行う必要がない。
【０１８９】
また検知部３２６Ａでは、第３の実施の形態と比較してドラム検知光ＬＤの光路長が延長されているが、ドラム検知光ＬＤは光速で進行するため、事実上、遅延について考慮する必要も無い。
【０１９０】
このため一時保留部３１５は、第３の実施の形態と比較して、比較的高価な発光部及び受光部の数を大幅に削減でき、これに伴い各配線や制御部において処理すべき信号の数も大幅に削減することができるので、同等の効果を得ながら構成を大幅に簡略化することができ、部品や製造等のコストも低廉に抑えることができる。
【０１９１】
また一時保留部３１５は、その他の点においても、第１の実施の形態による一時保留部１５と同様の作用効果を奏し得る。
【０１９２】
以上の構成によれば、第４の実施の形態による一時保留部３１５は、ドラム２５の溝部５２Ａ及び５２Ｂにおける周方向に離散的な複数の箇所に、軸２５Ｘに沿った橋架部５３Ａ及び５３Ｂをそれぞれ架け渡した。これにより一時保留部１５は、外テープ３１及び内テープ３３の溝部５２Ａ又は５２Ｂへの脱落を回避でき、その損傷を未然に防止することができる。また一時保留部３１５は、溝部５２Ａへ照射されるドラム検知光ＬＤをミラーＭ１〜Ｍ６によって順次反射させながら開孔部５４Ａ１〜５４Ａ６を全て通過させることにより、簡素な構成によって、その検知結果を基に極めて短い時間で紙幣ＢＬの有無を精度良く判別することができる。
【０１９３】
［５．参考例］
［５−１．一時保留部の構成］
図４との対応部分に同一符号を付した図１２に示すように、参考例による一時保留部４１５は、第１の実施の形態による一時保留部１５と比較して、ドラムの構成並びに検知部における発光部及び受光部の配置が大きく相違している。
【０１９４】
すなわち一時保留部４１５は、第１の実施の形態におけるドラム２５並びに検知部２６Ａ及び２６Ｂに代えて、ドラム４２５並びに検知部４２６Ａ及び４２６Ｂを有している。
【０１９５】
ドラム４２５は、一様な円筒形状でなる円筒部４５１を中心に構成されており、溝部５２Ａ及び５２Ｂや橋架部５３Ａ及び５３Ｂ等は形成されていない。その一方で、ドラム４２５における溝部５２Ａ及び５２Ｂと対応する箇所には、光を反射する反射部４５２Ａ及び４５２Ｂが帯状に一周するように形成されている。
【０１９６】
因みに反射部４５２Ａ及び４５２Ｂは、例えば円筒部４５１の外周面に反射テープを貼り付けることにより構成されている。
【０１９７】
検知部４２６Ａ及び４２６Ｂは、ドラム検知光ＬＤを発光する発光部４２７Ａ及び４２７Ｂ並びに当該ドラム検知光ＬＤを受光する受光部４２８Ａ及び４２８Ｂを有している。
【０１９８】
発光部４２７Ａは、ドラム検知光ＬＤを反射部４５２Ａへ向けて出射するよう、位置及び方向等が調整されている。また受光部４２８Ａは、軸２５Ｘに沿った方向に関し、反射部４５２Ａを中心に発光部４２７Ａと対称な位置に配置されている。
【０１９９】
すなわち検知部４２６Ａは、発光部４２７Ａから出射されたドラム検知光ＬＤを反射部４５２Ａにおいて反射させた後、これを受光部４２８Ａにより受光するようになされている。
【０２００】
また検知部４２６Ｂは、検知部４２６Ａと同様に構成されており、反射部４５２Ｂにおいてドラム検知光ＬＤを反射させるようになされている。
【０２０１】
この一時保留部４１５では、ドラム４２５に紙幣ＢＬが巻き付けられている場合、反射部４５２Ａ及び４５２Ｂが覆われるため、ドラム検知光ＬＤを反射できない。このとき検知部４２６Ａ及び４２６Ｂは、受光部４２８Ａ及び４２８Ｂにおいてドラム検知光ＬＤを受光できなくなる。
【０２０２】
このため制御部２１は、ドラム４２５を約１回転させる間に、受光部４２８Ａ及び４２８Ｂがドラム検知光ＬＤを継続して受光できれば紙幣ＢＬが巻き付けられていないものと判別し、受光部４２８Ａ又は４２８Ｂの少なくとも一方において一時的に受光できなくなれば紙幣ＢＬが巻き付けられているものと判別する。
【０２０３】
このように一時保留部４１５では、ドラム４２５の反射部４５２Ａ及び４５２Ｂにおいてドラム検知光ＬＤを反射し、これを受光部４２８Ａ及び４２８Ｂにおいて受光することによって紙幣ＢＬの有無を判別するようになされている。
【０２０４】
［５−２．動作及び効果］
以上の構成において、参考例による一時保留部４１５は、ドラム４２５に帯状の反射部４５２Ａ及び４５２Ｂを設け、検知部４２６Ａ及び４２６Ｂからそれぞれ出射されるドラム検知光ＬＤを反射するようにした。
【０２０５】
これにより一時保留部４１５は、反射後のドラム検知光ＬＤを検知部４２６Ａ及び４２６Ｂにより受光したか否かに基づき、ドラム４２５に紙幣ＢＬが巻き付けられているか否かを判別することができる。
【０２０６】
すなわち一時保留部４１５は、紙幣ＢＬが紙で構成されており一般に光の反射率が低く、ドラム４２５に紙幣ＢＬが１枚でも巻き付けられていれば、反射部４５２Ａ及び４５２Ｂの一部分においてドラム検知光ＬＤを確実に反射できなくなることを利用して、当該紙幣ＢＬを精度良く検知することができる。
【０２０７】
またドラム４２５は、第１の実施の形態におけるドラム２５の溝部５２Ａ及び５２Ｂを有していないため、外テープ３１及び内テープ３３の巻付位置が幅方向にずれたとしても脱落させることが無く、原理的に外テープ３１及び内テープ３３を損傷させることが無い。
【０２０８】
さらにドラム４２５は、第１の実施の形態におけるドラム２５と比較して、溝部５２Ａ及び５２Ｂや橋架部５３Ａ及び５３Ｂ並びに円板部６０が不要となる等、構造を単純化することができるため、容易に製造することができ、その製造コスト等を大幅に削減することができる。
【０２０９】
以上の構成によれば、参考例による一時保留部４１５は、ドラム４２５に帯状の反射部４５２Ａ及び４５２Ｂを設け、検知部４２６Ａ及び４２６Ｂからそれぞれ出射されるドラム検知光ＬＤを反射することにより、反射後のドラム検知光ＬＤを検知部４２６Ａ及び４２６Ｂにより受光したか否かに基づき、ドラム４２５に紙幣ＢＬが巻き付けられているか否かを判別することができる。
【０２１０】
［６．他の実施の形態］
なお上述した第１の実施の形態においては、ドラム２５の橋架数Ｎを６とするようにした場合について述べた。
【０２１１】
しかしながら本発明はこれに限らず、橋架数Ｎを５以下又は７以上としても良い。この場合、半径Ｒ及び紙幣短辺長Ｓとの間で（３）式を満たしていれば、紙幣ＢＬを確実に検知することができる。第２〜第４の実施の形態についても同様である。
【０２１２】
また上述した第１の実施の形態においては、ドラム２５に２箇所の溝部５２Ａ及び５２Ｂを設け、それぞれに橋架部５３Ａ及び５３Ｂを架け渡すようにした場合について述べた。
【０２１３】
しかしながら本発明はこれに限らず、例えば溝部５２Ｂ及び橋架部５３Ｂを省略し、溝部５２Ａ及び橋架部５３Ａのみを設けるようにしても良い。第２〜第４の実施の形態についても同様である。
【０２１４】
さらに上述した第１の実施の形態においては、外テープ及び内テープをそれぞれ１本ずつ用いるようにした場合について述べた。
【０２１５】
しかしながら本発明はこれに限らず、第２の実施の形態のように外テープ及び内テープをそれぞれ２本ずつ用いるようにしても良く、或いは外テープ及び内テープをそれぞれ３本以上ずつ用いるようにしても良い。この場合、溝部については軸２５Ｘに沿った方向に関し、各テープ同士の間及び両外側の全て又は一部にそれぞれ設ければ良い。第３〜第４の実施の形態についても同様である。
【０２１６】
さらに上述した第１の実施の形態においては、円板部６０の円板６１に形成したスリット６２の位置を基に、ドラム２５における開孔部５４Ａの位置を認識するようにした場合について述べた。
【０２１７】
しかしながら本発明はこれに限らず、円板部６０を省略するようにしても良い。この場合、例えばドラム２５を１／６回転させる間にドラム検知光ＬＤを検知できなければ紙幣ＢＬがあるものと見なせば良く、円板部６０を用いる場合よりも時間を要するものの、紙幣ＢＬの有無について判別することはできる。第２〜第４の実施の形態についても同様である。
【０２１８】
さらに上述した第１の実施の形態においては、円板部６０の円板６１をドラム２５と共通の軸２５Ｘに取り付けるようにした場合について述べた。
【０２１９】
しかしながら本発明はこれに限らず、例えば軸２５Ｘと歯合するギアの軸等、ドラム２５の回転に同期して回転する部品に円板６１を取り付けるようにしても良い。この場合、ドラム２５と円板６１との回転周期及び位相を一致させることができれば良い。第２〜第４の実施の形態についても同様である。
【０２２０】
さらに上述した第１の実施の形態においては、ドラム２５の周方向に関し、同一の大きさでなる複数の橋架部５３Ａを等間隔で配置するようにした場合について述べた。
【０２２１】
しかしながら本発明はこれに限らず、例えば複数の橋架部５３Ａの大きさを互いに相違させるようにしても良く、或いは橋架部５３Ａの間隔を不等とするようにしても良い。この場合、円板６１に設けるスリット６２の形状を開孔部５４Ａの位置や大きさ等に対応させることにより、ドラム検知光ＬＤが遮断されたときの要因を橋架部５３Ａ又は紙幣ＢＬのいずれであるかを精度良く識別することが可能となる。第２〜第４の実施の形態についても同様である。
【０２２２】
さらに上述した第３の実施の形態においては、溝部５２Ａ及び５２Ｂに軸２５Ｘを残したまま橋架部５３Ａ及び５３Ｂを設けるようにした場合について述べた。
【０２２３】
しかしながら本発明はこれに限らず、例えば図１０と対応する図１３に示すように、ドラム５２５の溝部５２Ａにおいて軸２５Ｘを省略し、橋架部５３Ａのみにより円筒部５１Ａ及び５２Ｂを繋ぐようにしても良い。特にこの場合、ドラム検知光ＬＤにドラム５２５の中心を通過させることができるので、３個の発光部５２７Ａ、５３７Ａ及び５４７Ａと、３個の受光部５２８Ａ、５３８Ａ及び５４８Ａとの間で３本のドラム検知光ＬＤを進行させれば良く、発光部及び受光部の数を削減することができる。第４の実施の形態についても同様であり、この場合はミラーの数を削減することができる。
【０２２４】
さらに上述した第１の実施の形態においては、ドラム２５の周方向に関しては半径Ｒ、紙幣短辺長Ｓ及び橋架数Ｎが（３）式を満たし、幅方向における各部の長さに関しては（５）式及び（６）式を満たすようにした場合について述べた。
【０２２５】
しかしながら本発明はこれに限らず、ドラム２５の周方向及び幅方向それぞれに関して他の条件を満たすようにしても良い。この場合、１枚の紙幣ＢＬが巻き付けられているか否かを確実に検出できれば良い。第２〜第４の実施の形態についても同様である。
【０２２６】
さらに上述した第１の実施の形態においては、制御部２１において受光部２８Ａ及び２８Ｂからの受光信号を基に紙幣ＢＬの有無を判別するようにした場合について述べた。
【０２２７】
しかしながら本発明はこれに限らず、例えば紙幣制御部１１や主制御部９又はこれらと制御部２１との協働により、受光部２８Ａ及び２８Ｂからの受光信号を基に紙幣ＢＬの有無を判別するようにしても良い。
【０２２８】
さらに上述した第１の実施の形態においては、外テープ３１及び内テープ３３といった２本のテープを用い、これらの間に紙幣ＢＬを挟んだ状態でドラム２５の周側面に巻き付けるようにした場合について述べた。
【０２２９】
しかしながら本発明はこれに限らず、例えば内テープ３３を省略し、外テープ３１のみにより紙幣ＢＬをドラム２５の周側面に押さえ付けるようにして巻き付けるようにしても良い。第２〜第４の実施の形態についても同様である。
【０２３０】
さらに上述した第１の実施の形態においては、金融機関等において顧客との間で現金に関する取引を行う現金自動預払機１の一時保留部１５において、媒体としての紙幣ＢＬを保留するようにした場合について述べた。
【０２３１】
しかしながら本発明はこれに限らず、例えば金融機関等において職員が現金に関する各種処理を行うための出納システムに組み込まれる一時保留部に適用するようにしても良く、或いは商品券や金券、入場券等のような紙葉状の媒体を保留する種々の装置に適用するようにしても良い。第２〜第４の実施の形態についても同様である。
【０２３２】
さらに上述した第１の実施の形態においては、ドラムとしてのドラム２５と、テープとしての外テープ３１及び内テープ３３と、溝部としての溝部５２Ａ及び５２Ｂと、橋架部としての５３Ａ及び５３Ｂと、検知部としての２６Ａ及び２６Ｂと、制御部としての制御部２１とによって媒体処理装置としての一時保留部１５を構成する場合について述べた。
【０２３３】
しかしながら本発明はこれに限らず、その他種々の構成でなるドラムと、テープと、溝部と、橋架部と、検知部と、制御部とによって媒体処理装置を構成するようにしても良い。
【産業上の利用可能性】
【０２３４】
本発明は、紙幣等の紙状の媒体をテープと共にドラムに巻き付けて一時的に保留する種々の装置でも利用できる。
【符号の説明】
【０２３５】
１……現金自動預払機、１５、１１５、２１５、３１５、４１５……一時保留部、２１……制御部、２５、１２５、４２５……ドラム、２５Ｘ……軸、２６Ａ、２６Ｂ、２６Ｃ、２２６Ａ、２２６Ｂ、３２６Ａ、３２６Ｂ、４２６Ａ、４２６Ｂ……検知部、２７Ａ、２７Ｂ、２７Ｃ、２２７Ａ、２３７Ａ、２４７Ａ、３２７Ａ、４２７Ａ、４２７Ｂ……発光部、２８Ａ、２８Ｂ、２８Ｃ、２２８Ａ、２３８Ａ、２４８Ａ、３２８Ａ、４２８Ａ、４２８Ｂ……受光部、３１、３１Ａ、３１Ｂ……外テープ、３３、３３Ａ、３３Ｂ内テープ、５１Ａ、５１Ｂ、５１Ｃ、５１Ｄ……円筒部、５２Ａ、５２Ｂ、５２Ｃ……溝部、５３Ａ、５３Ｂ、５３Ｃ……橋架部、５４Ａ、５４Ａ１、５４Ａ２、５４Ａ３、５４Ａ４、５４Ａ５、５４Ａ６、５４Ｂ、５４Ｃ……開孔部、５５Ａ、５５Ｂ……案内板、６０……円板部、６１……円板、６２……スリット、６３……遮光部、６５……センサ部、Ｍ１、Ｍ２、Ｍ３、Ｍ４、Ｍ５、Ｍ６……ミラー、ＢＬ……紙幣、ＬＤ……ドラム検知光、Ａ……橋架周期、Ｎ……橋架数、Ｓ……紙幣短辺長、Ｂ……紙幣長辺長、Ｒ……半径、Ｃ……テープ幅、Ｗ１……案内間隔、Ｗ２……検知間隔。
【図１】
0005790567.tif 000002
【図２】
0005790567.tif 000003
【図３】
0005790567.tif 000004
【図４】
0005790567.tif 000005
【図５】
0005790567.tif 000006
【図６】
0005790567.tif 000007
【図７】
0005790567.tif 000008
【図８】
0005790567.tif 000009
【図９】
0005790567.tif 000010
【図１０】
0005790567.tif 000011
【図１１】
0005790567.tif 000012
【図１２】
0005790567.tif 000013
【図１３】
0005790567.tif 000014
【図１４】
0005790567.tif 000015